(57)【要約】      （修正有）【課題】ねじりコイルバネにより挟み体の開動作を行うことができ、ねじりコイルバネは一対の挟み体の間に隠蔽されているので、一対の挟み体の開閉動作に際し、他の部材に引掛かったり、邪魔になったりすることがなくなり、挟み作業を快適に行うことができる挟み作業具を提供する。【解決手段】開閉自在な一対の挟み体１・１が枢軸２により開閉自在に軸着され、一対の挟み体を開動作させる開動用バネ３を備えてなる手動利器や手動工具などの挟み作業具において、開動用バネとして枢軸に巻装されるねじりコイルバネＭが用いられ、ねじりコイルバネは一対の挟み体の対向面にそれぞれ形成された凹部からなる収納空間部に隠蔽内装され、ねじりコイルバネの両端部はそれぞれ対向する挟み体に止着されている。【選択図】図１
0003175902.tif 000002
【実用新案登録請求の範囲】
【請求項１】
開閉自在な一対の挟み体が枢軸により開閉自在に軸着され、該一対の挟み体を開動作させる開動用バネを備えてなる手動利器や手動工具などの挟み作業具において、上記開動用バネとして上記枢軸に巻装されるねじりコイルバネが用いられ、該ねじりコイルバネは一対の挟み体の対向面にそれぞれ形成された凹部からなる収納空間部に隠蔽内装され、該ねじりコイルバネの両端部はそれぞれ対向する挟み体に止着されていることを特徴とする挟み作業具。
【請求項２】
上記ねじりコイルバネの両端部に上記一対の挟み体の対向面に向く折曲部を形成し、該一対の挟み体の対向面に該ねじりコイルバネの折曲部が貫挿される止着孔を形成してなることを特徴とする請求項１記載の挟み作業具。
【考案の詳細な説明】
【技術分野】
【０００１】
本考案は例えば、園芸はさみ、枝切りばさみ、剪定ばさみ、羅紗ばさみ、キッチンばさみ、爪切り、握りばさみ、洋ばさみ、理髪用ばさみ、手動バリカン等の手動利器やペンチ、ニッパー、プライヤ等の手動工具などの各種の挟み作業具に関するものである。
【背景技術】
【０００２】
従来、この種の挟み作業具として、開閉自在な一対の挟み体が枢軸により開閉自在に軸着され、該一対の挟み体を開動作させる開動用バネを備えてなり、開動用バネは円筒コイルバネやねじりコイルバネが用いられ、これら円筒コイルバネやねじりコイルバネからなる開動用バネの両端部をそれぞれ一対の挟み体の間に架設してなる構造のものが知られている。
【０００３】
しかして、一対の挟み体を手の握持動作により開動用バネに抗して閉動させることで挟み作業を行い、挟み作業後、一対の挟み体を釈放したとき一対の挟み体は開動用バネのバネ圧力で開動作することになる。
【先行技術文献】
【特許文献】
【０００４】
【特許文献１】実開昭５２−５０２７６号公報
【特許文献２】特開２００５−１０２６４９
【考案の概要】
【考案が解決しようとする課題】
【０００５】
しかしながらこれらの従来の挟み作業具にあっては、円筒コイルバネやねじりコイルバネからなる開動用バネが一対の挟み体の間に露呈状態で架設されているので、一対の挟み体の開閉動作に際し、他の部材に引掛かったり、邪魔になったりすることがあるという不都合を有している。
【課題を解決するための手段】
【０００６】
本考案はこれらの不都合を解決することを目的とするもので、本考案のうちで、請求項１記載の考案は、開閉自在な一対の挟み体が枢軸により開閉自在に軸着され、該一対の挟み体を開動作させる開動用バネを備えてなる手動利器や手動工具などの挟み作業具において、上記開動用バネとして上記枢軸に巻装されるねじりコイルバネが用いられ、該ねじりコイルバネは一対の挟み体の対向面にそれぞれ形成された凹部からなる収納空間部に隠蔽内装され、該ねじりコイルバネの両端部はそれぞれ対向する挟み体に止着されていることを特徴とする挟み作業具にある。
【０００７】
又、請求項２記載の考案は、上記ねじりコイルバネの両端部に上記一対の挟み体の対向面に向く折曲部を形成し、該一対の挟み体の対向面に該ねじりコイルバネの折曲部が貫挿される止着孔を形成してなることを特徴とするものである。
【考案の効果】
【０００８】
本考案は上述の如く、請求項１記載の考案にあっては、一対の挟み体を開動用バネに抗して枢軸を中心として閉動作させ、挟み作業後、一対の挟み体を開動用バネにより開動作し、この挟み体の開閉動作により各種の挟み作業を行うことになり、この際、開動用バネとして上記枢軸に巻装されるねじりコイルバネが用いられ、ねじりコイルバネは一対の挟み体の対向面にそれぞれ形成された凹部からなる収納空間部に隠蔽内装され、ねじりコイルバネの両端部はそれぞれ対向する挟み体に止着されているから、ねじりコイルバネにより挟み体の開動作を行うことができ、このねじりコイルバネは一対の挟み体の対向面にそれぞれ形成された凹部からなる収納空間部に隠蔽内装され、ねじりコイルバネは一対の挟み体の間に隠蔽されているので、一対の挟み体の開閉動作に際し、他の部材に引掛かったり、邪魔になったりすることがなくなり、挟み作業を快適に行うことができる。
【０００９】
又、請求項２記載の考案にあっては、上記ねじりコイルバネの両端部に上記一対の挟み体の対向面に向く折曲部を形成し、一対の挟み体の対向面にねじりコイルバネの折曲部が貫挿される止着孔を形成してなるから、挟み体を確実に開動作させることができ、各種の挟み作業の作業性を高めることができる。
【図面の簡単な説明】
【００１０】
【図１】本考案の実施の第一形態例の全体正面図である。
【図２】本考案の実施の第一形態例の部分断面図である。
【図３】本考案の実施の第一形態例の分解斜視図である。
【図４】本考案の実施の第一形態例の使用状態図である。
【図５】本考案の実施の第一形態例の使用状態図である。
【図６】本考案の実施の第二形態例の全体正面図である。
【考案を実施するための形態】
【００１１】
図１乃至図６は本考案の実施の形態例を示し、図１乃至図５は挟み作業具としての手動利器たる剪定鋏に適用した第一形態例、図６は挟み作業具としての手動工具たるペンチに適用した第二形態例である。
【００１２】
図１乃至図５の第一形態例において、１・１は一対の挟み体であって、この一対の挟み体１・１は中程部を枢軸２により開閉自在に軸着され、この枢軸２を境にして先端側が刃部１ａ・１ａ及び基端部側が柄部１ｂ・１ｂに形成され、柄部１ｂ・１ｂを握持することにより枢軸２を中心として刃部１ａ・１ａが開閉動作することになる。
【００１３】
３は開動用バネであって、一対の挟み体１・１を開動作させ、この場合、ねじりコイルバネＭが用いられ、この場合、上記一対の挟み体１・１の枢軸２近傍の対向面に凹部１ｃ・１ｃを形成し、この凹部１ｃ・１ｃにより収納空間部１ｄを形成し、一方の挟み体１に枢軸２としての螺軸を挿通可能な遊孔１ｅを形成し、他方の挟み体１に枢軸２を螺着可能な螺孔１ｆを形成すると共に枢軸２にナット体１ｇを螺着し、ねじりコイルバネＭを枢軸２に巻装して上記一対の挟み体１・１の対向面にそれぞれ形成された凹部１ｃ・１ｃからなる収納空間部１ｄに隠蔽内装し、ねじりコイルバネＭの両端部をそれぞれ対向する挟み体１・１に止着している。
【００１４】
この場合、上記ねじりコイルバネＭの両端部に上記一対の挟み体１・１の対向面に向く折曲部Ｍ１・Ｍ１を形成し、一対の挟み体１・１の対向面にねじりコイルバネＭの折曲部Ｍ１・Ｍ１が貫挿される止着孔１ｈ・１ｈを形成している。
【００１５】
この実施の第一形態例は上記構成であるから、図１、図４の如く、一対の挟み体１・１の柄部１ｂ・１ｂを握持して開動用バネ３に抗して枢軸２を中心として刃部１ａ・１ａを閉動作させ、挟み作業後、この場合、鋏み作業後、図５の如く、一対の挟み体１・１の柄部１ｂ・１ｂを釈放したとき開動用バネ３により挟み体１・１の刃部１ａ・１ａは開動作し、この挟み体１・１の開閉動作により各種の挟み作業、この場合、枝等の剪断作業を行うことになる。
【００１６】
この際、開動用バネ３として上記枢軸２に巻装されるねじりコイルバネＭが用いられ、ねじりコイルバネＭは一対の挟み体１・１の対向面にそれぞれ形成された凹部１ｃ・１ｃからなる収納空間部１ｄに隠蔽内装され、ねじりコイルバネＭの両端部はそれぞれ対向する挟み体１・１に止着されているから、ねじりコイルバネＭにより挟み体１・１の開動作を行うことができ、このねじりコイルバネＭは一対の挟み体１・１の対向面にそれぞれ形成された凹部１ｃ・１ｃからなる収納空間部１ｄに隠蔽内装され、ねじりコイルバネＭは一対の挟み体１・１の間に隠蔽されているので、一対の挟み体１・１の開閉動作に際し、他の部材に引掛かったり、邪魔になったりすることがなくなり、挟み作業を快適に行うことができる。
【００１７】
又、この場合、上記ねじりコイルバネＭの両端部に上記一対の挟み体１・１の対向面に向く折曲部Ｍ１・Ｍ１を形成し、一対の挟み体１・１の対向面にねじりコイルバネＭの折曲部Ｍ１・Ｍ１が貫挿される止着孔１ｈ・１ｈを形成してなるから、挟み体１・１を確実に開動作させることができ、各種の挟み作業の作業性を高めることができる。
【００１８】
図６の第二形態例は別例構造を示し、この場合、挟み作業具としての手動工具たるペンチに適用したものであり、すなわち、上記第一形態例と同様、１・１は一対の挟み体であって、この一対の挟み体１・１は中程部を枢軸２により開閉自在に軸着され、この枢軸２を境にして先端側が挟み部１ｉ・１ｉ及び基端部側が柄部１ｊ・１ｊに形成され、柄部１ｊ・１ｊを握持することにより枢軸２を中心として挟み部１ｉ・１ｉが開閉動作することになる。
【００１９】
そして、上記第一形態例と同様、上記一対の挟み体１・１を開動作させる開動用バネ３としてねじりコイルバネＭが用いられ、図示省略しているが、上記第一形態例と同様、上記一対の挟み体１・１の枢軸２近傍の対向面に凹部を形成し、この凹部により収納空間部を形成し、ねじりコイルバネＭを枢軸２に巻装して上記一対の挟み部１ｉ・１ｉの対向面にそれぞれ形成された凹部からなる収納空間部に隠蔽内装し、ねじりコイルバネＭの両端部をそれぞれ対向する挟み体１・１に止着し、上記ねじりコイルバネＭの両端部に上記一対の挟み体１・１の対向面に向く折曲部を形成し、一対の挟み体１・１の対向面にねじりコイルバネＭの折曲部が貫挿される止着孔を形成している。
【００２０】
この第二形態例にあっても、上記第一形態例と同様な作用効果を得ることができる。
【００２１】
尚、本考案は上記実施の形態例に限られるものではなく、挟み体１、枢軸２、ねじりコイルバネＭの形状、大きさ、材質等は、手動工具、手動利器等の挟み作業具の種類に応じて適宜変更して設計されるものである。
【００２２】
以上、所期の目的を充分達成することができる。
【符号の説明】
【００２３】
Ｍ    ねじりコイルバネ
Ｍ１    折曲部
１    挟み体
１ｃ    凹部
１ｄ    収納空間部
１ｈ    止着孔
２    枢軸
３    開動用バネ
【図１】
0003175902.tif 000003
【図２】
0003175902.tif 000004
【図３】
0003175902.tif 000005
【図４】
0003175902.tif 000006
【図５】
0003175902.tif 000007
【図６】
0003175902.tif 000008